(57)【要約】【課題】疑似餌と釣り糸とのあいだに介装されるスプリットリングを、ワイヤ材で形成される第一、第二リング部により構成するにあたり、釣り糸が絡み難く、切れにくい構成とする。【解決手段】第二リング部３の周回り方向一部を外径側に突出させ、スプリットリング１に、同形に形成され、第一、第二リング部２、３が互いに密着する同形部ＳＲと、異形に形成され、第三リング３が第二リング部２より外径側に突出して互いに径方向に離間する異形部ＤＲとを形成するとともに、ワイヤ材の巻始め端１ｂと巻終わり端１ｃとを同形部ＳＲにおいて近接対向せしめて、釣り糸４が結着される異形部ＤＲの周回り方向両側の同形部ＳＲを第一、第二リング部２、３が密着して、釣り糸４の移動を阻止する移動阻止部とする。【選択図】図１
0003177420.tif 000002
【実用新案登録請求の範囲】
【請求項１】
疑似餌のアイと釣り糸とのあいだに介装されるスプリットリングを、ワイヤ材を重ね巻きして巻線方向に隣接する第一、第二リング部により構成するにあたり、第一、第二何れか一方のリング部の周回り方向一部を外側に突出させて、スプリットリングに、互いに同形に形成され、ワイヤ材の巻始め端と巻終わり端とが対向する状態で第一、第二リング部が互いに密着していて前記アイが貫通する同形部と、異形に形成され、一方のリング部が他方のリング部より外側に突出することで互いに離間していて釣り糸が一方のリング部に緊縛される異形部とを形成するとともに、同形部の異形部に移行する部位を、第一、第二リング部とが互いに密着していて一方のリング部に緊縛した釣り糸が同形部側に移動するのを阻止する移動阻止部に構成したことを特徴とするスプリットリング。
【請求項２】
ワイヤ材の巻始め端と巻終わり端との対向部位を、同形部の異形部に対向する部位に対して周回り方向に偏倚させたことを特徴とする請求項１に記載のスプリットリング。
【請求項３】
ワイヤ材の巻始め端と巻終わり端との対向部位は、スプリットリングを異形部が上、同形部が下となる上下姿勢としたときの最下端位置に対して左右何れか一方に近接する位置に偏倚していることを特徴とする請求項１または２記載のスプリットリング。
【請求項４】
スプリットリングを異形部が上、同形部が下となる上下姿勢とし、巻始め端が他方のリング部にあり巻終り端が一方のリング部にあるものとしたとき、スプリットリングの重ね巻きは、巻始め端から他方のリング部の上側円弧部を経て下側円弧部に至ったものが一方のリング部に至り、該一方のリング部の上側円弧部を経て下側円弧部に至って巻終り端となるように巻かれていることを特徴とする請求項１〜３の何れか１記載のスプリットリング。
【請求項５】
他方のリング部には、巻始め端部位を内径側に折り曲げた折曲片が形成されていることを特徴とする請求項１〜４の何れか１記載のスプリットリング。
【考案の詳細な説明】
【技術分野】
【０００１】
本考案は、魚釣り用の疑似餌と釣り糸とのあいだに介装されるスプリットリングの技術分野に関するものである。
【背景技術】
【０００２】
一般に、魚釣り用の疑似餌のアイに釣り糸を連結する場合に、疑似餌の自由な動きが実現するよう、疑似餌のアイにリング状のスプリットリングを連結し、該スプリットリングに釣り糸を結着するようにしている。この場合に、釣り糸や疑似餌は複雑に動くことが要求されることから、単純なリング状のスプリットリングに釣り糸を結着するとともに疑似餌のアイを連結した場合に、疑似餌が複雑に移動することによりアイが釣り糸に絡まったりすることがあるばかりでなく、スプリットリングのワイヤ切断部に釣り糸の結着部が移動して、結着部が切断部に擦れて切断したり、スプリットリングから外れてしまうような不具合が発生することがある。
そこで、リング状部を大径部と小径部とが形成された瓢箪形状にしたもの（特許文献１）や、リング状部を８の字状に折曲形成したもの（特許文献２）が提案され、これによって疑似餌のアイが結着部と干渉したり結着部がワイヤ切断部に移動したりしないようにしたものが提唱されている。
【先行技術文献】
【特許文献】
【０００３】
【特許文献１】特開平１０−２８４９２号公報
【特許文献２】特開平１０−２７６６４０号公報
【考案の概要】
【考案が解決しようとする課題】
【０００４】
しかしながら、前記特許文献１のものは、アイ連結部と釣り糸結着部とのあいだに遮るものがないため、疑似餌の動きによっては釣り糸とアイとが干渉してしまうだけでなく、結着部がワイヤ材の切断部に移動してしまい、当初の目的が果せない惧れがある。また、特許文献２のものは、単に８の字状に折曲する構成であるため、疑似餌の複雑な動きがあった場合等において、結着部がワイヤ材の点状の交差部を不意に擦り抜けてアイ連結側に移動し、当初の目的が果せなくなることが考えられ、そしてこれらの傾向は、大物釣りになるほど顕著になり、何れのものも充分に当初の目的を達成できない惧れがあって問題があり、ここに本考案の解決すべき課題がある。
【課題を解決するための手段】
【０００５】
本考案は、上記の如き実情に鑑みこれらの課題を解決することを目的として創作されたものであって、請求項１の考案は、疑似餌のアイと釣り糸とのあいだに介装されるスプリットリングを、ワイヤ材を重ね巻きして巻線方向に隣接する第一、第二リング部により構成するにあたり、第一、第二何れか一方のリング部の周回り方向一部を外側に突出させて、スプリットリングに、互いに同形に形成され、ワイヤ材の巻始め端と巻終わり端とが対向する状態で第一、第二リング部が互いに密着していて前記アイが貫通する同形部と、異形に形成され、一方のリング部が他方のリング部より外側に突出することで互いに離間していて釣り糸が一方のリング部に緊縛される異形部とを形成するとともに、同形部の異形部に移行する部位を、第一、第二リング部とが互いに密着していて一方のリング部に緊縛した釣り糸が同形部側に移動するのを阻止する移動阻止部に構成したことを特徴とするスプリットリングである。
請求項２の考案は、ワイヤ材の巻始め端と巻終わり端との対向部位を、同形部の異形部に対向する部位に対して周回り方向に偏倚させたことを特徴とする請求項１に記載のスプリットリングである。
請求項３の考案は、ワイヤ材の巻始め端と巻終わり端との対向部位は、スプリットリングを異形部が上、同形部が下となる上下姿勢としたときの最下端位置に対して左右何れか一方に近接する位置に偏倚していることを特徴とする請求項１または２記載のスプリットリングである。
請求項４の発明は、スプリットリングを異形部が上、同形部が下となる上下姿勢とし、巻始め端が他方のリング部にあり巻終り端が一方のリング部にあるものとしたとき、スプリットリングの重ね巻きは、巻始め端から他方のリング部の上側円弧部を経て下側円弧部に至ったものが一方のリング部に至り、該一方のリング部の上側円弧部を経て下側円弧部に至って巻終り端となるように巻かれていることを特徴とする請求項１〜３の何れか１記載のスプリットリングである。
請求項５の発明は、他方のリング部には、巻始め端部位を内径側に折り曲げた折曲片が形成されていることを特徴とする請求項１〜４の何れか１記載のスプリットリングである。
【考案の効果】
【０００６】
請求項１の考案とすることにより、移動阻止部が異形部に結着された釣り糸の異形部からの移動を防止して、釣り糸と同形部に連結された疑似餌とが複雑な動きをしても、釣り糸が疑似餌に絡み付くことがないばかりでなく、釣り糸がワイヤ材の切断面に擦られて切断することが防止される。
請求項２の考案とすることにより、疑似餌の複雑な動きを損なうことがないようにできる。
請求項３の考案とすることにより、ワイヤ材の巻始め端と巻終わり端との対向部位が、疑似餌の複雑な動きを損なうことがないものでありながら、釣り糸が緊縛される異形部から遠くなって疑似餌が複雑な動きをしても釣り糸が巻始め端と巻終わり端との対向部位に絡み付いてしまうことを回避できる。
請求項４の考案とすることにより、アイを取付ける場合に、アイを巻始め端から第一リング部２を引き回すだけで取付けることができる。
請求項５の考案とすることにより、プライヤーを用いなくてもアイを通す作業が簡単にできる。
【図面の簡単な説明】
【０００７】
【図１】図１（Ａ）、（Ｂ）、（Ｃ）はそれぞれスプリットリングの正面図、側面図、背面図であり、図１（Ｄ）はスプリットリングの使用状態を説明する斜視図である。
【図２】図２（Ａ）、（Ｂ）、（Ｃ）はそれぞれ第二の実施の形態のスプリットリングの正面図、側面図、背面図である。
【図３】図３（Ａ）、（Ｂ）、（Ｃ）はそれぞれ第三の実施の形態のスプリットリングの正面図、側面図、背面図である。
【考案を実施するための形態】
【０００８】
以下、本考案の第一の実施の形態について、図面に基づいて説明する。
図面において、１は本考案が実施されたスプリットリングであって、該スプリットリング１は、ワイヤ材を円形状に曲げ加工して二重の重ね巻きにすることにより形成される第一、第二リング部２、３により構成されている。
【０００９】
これら第一、第二リング部２、３は、先行して巻かれる第一リング部２に、後行して巻かれる第二リング部３を密着させるように重ね巻きすることにより形成されている。これら第一、第二リング部２、３は、本実施の形態では、先行して巻かれる第一リング部２（本発明の他方のリング部に相当する）は真円状に形成される一方、後行して巻かれる第二リング部３（本発明の一方のリング部に相当する）は周回り方向一部が外径側に突出して形成されており、第一リング部２と同形となって第一リング部２に密着する第二密着片部３ａと、第二リング部３の周回り方向の一部に対し、第一リング部２より大径となって外径側に略半円状に突出して、第一リング部２とは径方向に離間する第二離間片部３ｂとが形成されている。これによって、スプリットリング１には、第二リング部３の第二密着片部３ａと、これに密着する第一リング部２の第一密着片部２ａとにより同形部ＳＲが形成されるとともに、第二リング部３の周回り方向の一部に形成される第二離間片部３ｂと、これに径方向所定間隙を存して対向する第一リング部２の第一離間片部２ｂとにより異形部ＤＲが形成されている。
【００１０】
そして、本実施の形態の第二離間片部３ｂは、前述したように略半円形状に突出しており、同形部ＳＲを構成する第二密着片部３ａから曲げ部３ｃを介して形成されている。そして、第二離間片部３ｂの基端部同士（曲げ部３ｃ同士）の周回り方向の対向間隔は同形部ＳＲにおける直径よりも幅狭に形成され、これによって、スプリットリング１は、第二リング部２の周回り方向の半分以上（大半）が第二密着片部３ａに密着する同形部ＳＲに形成されている。そして、スプリットリング１は、異形部ＤＲの外径側に位置する部位である第二離間片部３ｂに釣り糸４が緊縛（結着）され、同形部ＳＲに疑似餌５のアイ５ａが連結されるように構成されている。
【００１１】
また、スプリットリング１は、ワイヤ材で一続きに重ね巻きする際に、第一、第二リング部２、３のあいだとなる部位にクランク部１ａが折曲形成されており、図１（Ｂ）に示すように、クランク部１ａは、スプリットリング１を異形部ＤＲが上、同形部ＳＲが下となる上下姿勢としたときの最下端位置に対して左右何れか一方に近接する位置に偏倚しており、このクランク部１ａを介して左側に第一リング部２が位置し、右側に第二リング部３が位置するように形成されている。そして、ワイヤ材の巻始め端１ｂと巻終わり端１ｃとは、クランク部１ａにおいて近接するように巻かれ、各端１ｂ、１ｃ同士が近接対向状となっているが、このとき、クランク部１ａ、巻始め端１ｂ、さらに、巻終わり端１ｃとは同形部ＳＲに位置するように設定されている。
【００１２】
さらに、前記クランク部１ａは、異形部ＤＲの外径側に突出する第二離間片部３ｂの周回り方向一方（図１（Ａ）において図面向かって右側）の基端部である曲げ部３ｃの近傍に位置することにより、異形部ＤＲ側に偏寄するようにして形成されているが、このとき、前記一方側の曲げ部３ｃとクランク部１ａとのあいだには所定間隙Ｌが形成されている。これによって、一方の曲げ部３ｃに続く第二密着片部３ａには巻始め端１ｂ側の第一密着片部２ａが所定間隙Ｌに相当する長さにおいて密着しているとともに、他方の曲げ部３ｃに続く第二密着片部３ａには第一密着片部２ａが半周近くに亘って密着するように構成されている。これによって、異形部ＤＲの第二離間片部３ｂに続く周回り方向両側の同形部ＳＲにおいて、第二密着片部３ａに第一密着片部２ａが密着する状態となっており、該密着部位が、第二離間片部３ｂに結着された釣り糸４が第二離間片部３ｂから第二密着片部３ａ側に移動するのを阻止する移動阻止部として機能するように構成されている。
また、同形部ＳＲは第一リング部２の半分以上、本実施の形態では第一リング部２の大半（大部分）が第二密着片部３ａに密着する部位となっているが、同形部ＳＲに位置するクランク部１ａは、異形部ＤＲに径方向に対向する部位に対して偏倚するように形成されており、これによって、第一、第二密着片部２ａ、３ａ同士が密着する部位が、異形部ＤＲ（釣り糸４が結着される部位）に径方向に対向する部位を中心として周回り方向両側に設けられて、疑似餌５のアイ５ａがクランク部１ａに落ち込むことなく円滑に移動できる範囲（回転範囲、回転角度）を広く確保できるように構成されている。
そしてこのように構成されたスプリットリング１の重ね巻きは、異形部ＤＲが上、同形部ＳＲが下となる上下姿勢とし、巻始め端１ｂが第一リング部２にあり巻終り端１ｃが第二リング部３にあるものとしたとき、巻始め端１ｂから第一リング部２の上側円弧部を経て下側円弧部に至ったものが第二リング部３に至り、該第二リング部３の上側円弧部を経て下側円弧部に至って巻終り端１ｃとなるように巻かれている。
【００１３】
叙述の如く構成された本考案の第一の実施の形態において、スプリットリング１は重ね巻きされる第一、第二リング部２、３のうち、第二リング部３の周回り方向の一部が外径側に突出しており、スプリットリング１に、同形に形成され、第一、第二リング部２、３の密着片部２ａ、３ａ同士が互いに密着する同形部ＳＲと、異形に形成され、第二リング部３の離間片部３ｂが第一リング部２の離間片部２ｂより外径側に突出して互いに径方向に離間する異形部ＤＲとが形成されている。そして、スプリットリング１を用いて疑似餌５と釣り糸４とを連結する場合では、疑似餌５のアイ５ａをスプリットリング１の巻始めまたは巻終わりの各端１ｂまたは１ｃとクランク部１ａとのあいだから組込んで同形部ＳＲに連結する一方、異形部ＤＲの外径側に突出する第二離間片部３ｂに釣り糸４を結着するが、この場合に、スプリットリング１は、ワイヤ材の巻始め端１ｂと巻終わり端１ｃとが異形部ＤＲから離れた同形部ＳＲにおいて近接対向しており、釣り糸４が結着される異形部ＤＲの周回り方向両側には、密着状態の第一、第二密着片部２ａ、３ａにより構成される同形部ＳＲが移動阻止部として位置しており、釣り糸４が第二離間片部３ｂから第二密着片部３ａ側（同形部ＳＲ側）に移動するのが阻止される。この結果、異形部ＤＲの第二離間片部３ｂに結着された釣り糸４や同形部ＳＲに連結した疑似餌５が、大物釣りで複雑に、かつ、大きく動いたとしても、釣り糸４が異形部ＤＲから同形部ＳＲ側に移動するのが防止されて、釣り糸４の結着部が疑似餌５のアイ５ａに近づいて、釣り糸４が疑似餌５に絡み付いてしまうような不具合を確実に防止できるばかりでなく、釣り糸４がワイヤ材の巻始め端１ｂと巻終わり端１ｃの切断面に擦られて切断してしまうようなことが確実に防止される。
【００１４】
さらに、スプリットリング１は、第一リング部２の少なくとも半部が同形部ＳＲに形成されているとともに、同形部ＳＲに位置するワイヤ材の巻き始め端１ｂと巻終わり端１ｃとは、異形部ＤＲに径方向に対向する部位に対して偏倚して近接対向しているので、同形部ＳＲにおいて段差のない第一、第二密着片部２ａ、３ａが密着する部位が周回り方向に長く確保されて疑似餌５の複雑な動きを損なうことがない。
【００１５】
そのうえ、スプリットリング１の巻き始め端１ｂと巻き終わり端１ｃとの対向位置が、第二リング部３の異形部ＤＲから遠い位置にあるため、疑似餌が複雑な動きをしたときに釣り糸４が巻き始め、巻き終わり端１ｂ、１ｃに絡みつくことを可及的に回避できるとともに、異形部ＤＲを上、同形部ＳＲを下となる姿勢としたときの最下端位置に近傍する位置に偏倚しているため、疑似餌を垂下させた自然状態でアイ５ａが巻き始め、巻き終わり端１ｂ、１ｃに入り込んで複雑な動きが阻止されてしまうことも回避できる。
しかもスプリットリング１の重ね巻きは、異形部ＤＲが上、同形部ＳＲが下となる上下姿勢とし、巻始め端１ｂが第一リング部２にあり巻終わり端１ｃが第二リング部３にあるものとしたとき、巻始め端１ｂから第一リング部２の上側円弧部を経て下側円弧部に至ったものが第二リング部３に至り、該第二リング部３の上側円弧部を経て下側円弧部に至って巻終り端１ｃとなるように巻かれているため、アイを取付ける場合に、アイを巻始め端から第一リング部２を引き回すだけで異形部ＤＲを経ることなく取付けることができ、第二リング部３に釣り糸が結ばれた状態であっても疑似餌の着脱ができることになって都合が良い。
【００１６】
尚、本考案は前記実施の形態に限定されないことは勿論であって、図２に示す第二の実施の形態のようにすることもできる。
前記第二の実施の形態において、スプリットリング６は、第一の実施の形態と同様に、ワイヤ材を巻方向に隣接して二重に重ね巻きした第一、第二リング部７、８により構成されている。このものは、第一、第二リング部７、８の両者を何れも長円とし、第一の実施の形態に形成のクランク部がない状態で巻かれている。このものは第二リング部８が第一リング部７に対して周回り方向一部に湾曲状に膨出する大径部が形成されている。そして、スプリットリング６の第一、第二リング部７、８は少なくとも半部が同形となり、これら同形となる第一、第二密着片部７ａ、８ａが互いに密着して同形部ＳＲを構成しており、異形となる第一、第二離間片部７ｂ、８ｂが互いに径方向に離間して異形部ＤＲを構成している。このように構成されたスプリットリング６において、異形部ＤＲの外径側に位置する第二離間片部８ｂに釣り糸４が結着され、同形部ＳＲに疑似餌５のアイ５ａを連結されるが、ワイヤ材の巻始め端６ｂと巻終わり端６ｃとを同形部ＳＲに位置して形成することにより、異形部ＤＲの周回り方向両端部に、互いに密着する第一、第二密着片部７ａ、８ａにより構成される移動阻止部が形成されている。この結果、第一の実施の形態と同様に、釣り糸４が同形部ＳＲ側に移動するのが阻止されて、釣り糸４と疑似餌５との絡み付きが防止されるうえ、釣り糸４がワイヤ材の切断面（巻始め、巻終わりの各端６ｂ、６ｃ）に擦られて切断するのを防止することができる。
【００１７】
さらに本考案は、図３に示す第三の実施の形態のようにしても実施することができる。
前記第三の実施の形態において、スプリットリング９は、第一、第二の実施の形態と同様に、ワイヤ材を巻方向に隣接して二重に重ね巻きした第一、第二リング部１０、１１により構成されている。このものは、第一リング部１０を真円とし、第二リング部１１を長円とし、第二の実施の形態のようにクランク部のない状態で巻かれている。このものは第二リング部１１が第一リング部１０に対して周回り方向一部に湾曲状に膨出する大径部が形成されている。そして、スプリットリング９の第一、第二リング部１０、１１は少なくとも半部が同形となり、これら同形となる第一、第二密着片部１０ａ、１１ａが互いに密着して同形部ＳＲを構成しており、異形となる第一、第二離間片部１０ｂ、１１ｂが互いに径方向に離間して異形部ＤＲを構成している。前記同形部ＳＲには巻始め端９ｂ、巻終り端９ｃが形成されるが、巻始め端９ｂは、巻終り端９ｃとの対向位置から異形部ＤＲ側に偏倚した位置で内径側に折り曲げられた折曲片９ｄの先端に形成されている。
このように構成されたスプリットリング９において、異形部ＤＲの外径側に位置する第二離間片部１１ｂに釣り糸４が結着され、同形部ＳＲに疑似餌５のアイ５ａが連結されるが、ワイヤ材の巻始め端１０ｃと巻終り端１０ｄとを同形部ＳＲに位置して形成することにより、異形部ＤＲの周回り方向両端部に、互いに密着する第一、第二密着片部１０ａ、１１ａにより構成される移動阻止部が形成されている。この結果、第一、第二の実施の形態と同様に、釣り糸４が同形部ＳＲ側に移動するのが阻止されて、釣り糸４と疑似餌５との絡み付きが防止されるうえ、釣り糸４がワイヤ材の切断面に擦られて切断するのを防止することができる。
またこのものでは、折曲片９ｄがワイヤ材の巻き終り端９ｃではなく、巻始め端９ｂに形成されているので、アイ５ａを通す際に、該アイ５ａを、この折曲片９ｄに通す状態で密着片部に無理移動させることで異形部ＤＲを経ないで同形部ＳＲに通す作業をすることができ、この結果、スプリットリング用のプライヤーを用いないでのアイ通し作業が簡単にできることになる。なお、大物用として太いワイヤ材を用いるほど大きな弾発力が作用するため、プライヤーを用いないでのアイの無理移動による通し作業が難しくなる。
【００１８】
尚、本考案は、前記実施の形態に限定されるものでないことは勿論であり、特に前記各実施の形態において、ワイヤ材の巻き始め端、巻き終わり端の位置は便宜上記載したものであって、逆側から巻き始めてもよいことは勿論である。
【産業上の利用可能性】
【００１９】
本考案は、釣り糸と疑似餌を連結するためのスプリットリングとしての利用可能性がある。
【符号の説明】
【００２０】
１  スプリットリング
１ａ  クランク部
１ｂ  巻始め端
２  第一リング部
２ａ  第一密着片部
２ｂ  第一離間片部
３  第二リング部
３ａ  第一密着片部
３ｂ  第二離間片部
４  釣り糸
５  疑似餌
ＤＲ  異形部
ＳＲ  同形部
【図１】
0003177420.tif 000003
【図２】
0003177420.tif 000004
【図３】
0003177420.tif 000005